(57)【要約】【課題】  受信した電子メールの宛先に応じた音声を出力できる通信端末装置を提供する。【解決手段】  音声データ２３を記憶する記憶手段と、音声パターンデータベース２１と、音声データベース２２と、電子メールを受信する受信手段と、受信された電子メールの添付ファイルとしての画像データを記録用紙に印刷する記録手段と、この記録手段による画像データの印刷が完了した場合に、音声パターンデータベース２１を検索し、受信された電子メールの宛先としての電子メールアドレスに対応する音声パターンを抽出する音声パターン抽出手段と、音声データベース２２を検索し、抽出された音声パターンに対応するファイル名を抽出するファイル名抽出手段と、抽出されたファイル名と同じファイル名である音声データ２３を再生出力する再生出力手段と、を備えた。【選択図】      図６
2006268619.tif 000002
【特許請求の範囲】
【請求項１】
音声データを記憶する記憶手段と、
音声パターンを電子メールアドレスに対応付けて記憶する音声パターンデータベースと、
音声データのファイル名を音声パターンに対応付けて記憶する音声データベースと、
画像データが添付ファイルとして添付された電子メールを受信する受信手段と、
この受信手段により受信された電子メールの添付ファイルとしての画像データを記録用紙に印刷する記録手段と、
この記録手段による画像データの印刷が完了した場合に、音声パターンデータベースを検索し、前記受信手段により受信された電子メールの宛先としての電子メールアドレスに対応する音声パターンを抽出する音声パターン抽出手段と、
前記音声データベースを検索し、前記音声パターン抽出手段により抽出された音声パターンに対応するファイル名を抽出するファイル名抽出手段と、
前記記憶手段により記憶されかつ前記ファイル名抽出手段により抽出されたファイル名と同じファイル名である音声データを再生出力する再生出力手段と、
を備えたことを特徴とする通信端末装置。
【請求項２】
前記記録手段は、
前記受信手段により受信された電子メールの本文にデータがある場合に、このデータを記録用紙に印刷すると共に、
前記本文上のデータの印刷が完了した場合又は前記受信手段により受信された電子メールの本文にデータがない場合に、前記受信手段により受信された電子メールの添付ファイルとしての画像データを記録用紙に印刷することを特徴とする請求項１記載の通信端末装置。
【発明の詳細な説明】
【技術分野】
【０００１】
本発明は、画像データが添付ファイルとして添付された電子メールの送信及び受信が可能なインターネットファクス（インターネットＦＡＸ）通信機能を有し、複数のメールボックスに対して新着の電子メールの確認を行う通信端末装置に関するものである。
【背景技術】
【０００２】
従来のこの種の技術としては、例えば、新着電子メール等の着信を鳴動音等により報知する報知手段を備えた携帯端末が知られている（例えば、特許文献１参照。）。
【特許文献１】特開２００２−３３５３０５号公報（請求項３等）
【発明の開示】
【発明が解決しようとする課題】
【０００３】
しかしながら、上記のような携帯端末では、受信した電子メールの宛先に応じて鳴動音を変えることができないという問題点がある。
【０００４】
本発明は、以上のような問題点に鑑みてなされたものであり、受信した電子メールの宛先に応じた音声を出力できる通信端末装置を提供することを目的とする。
【課題を解決するための手段】
【０００５】
上記目的を達成するための請求項１の発明は、音声データを記憶する記憶手段と、音声パターンを電子メールアドレスに対応付けて記憶する音声パターンデータベースと、音声データのファイル名を音声パターンに対応付けて記憶する音声データベースと、画像データが添付ファイルとして添付された電子メールを受信する受信手段と、この受信手段により受信された電子メールの添付ファイルとしての画像データを記録用紙に印刷する記録手段と、この記録手段による画像データの印刷が完了した場合に、音声パターンデータベースを検索し、前記受信手段により受信された電子メールの宛先としての電子メールアドレスに対応する音声パターンを抽出する音声パターン抽出手段と、前記音声データベースを検索し、前記音声パターン抽出手段により抽出された音声パターンに対応するファイル名を抽出するファイル名抽出手段と、前記記憶手段により記憶されかつ前記ファイル名抽出手段により抽出されたファイル名と同じファイル名である音声データを再生出力する再生出力手段と、を備えたものである。
【０００６】
請求項２の発明は、前記記録手段が、前記受信手段により受信された電子メールの本文にデータがある場合に、このデータを記録用紙に印刷すると共に、前記本文上のデータの印刷が完了した場合又は前記受信手段により受信された電子メールの本文にデータがない場合に、前記受信手段により受信された電子メールの添付ファイルとしての画像データを記録用紙に印刷するものである。
【発明の効果】
【０００７】
請求項１の発明によれば、受信した電子メールの宛先に応じた音声を出力できるので、誰宛の電子メールを受信したかを当該通信端末装置から離れた位置でも把握することができる。
【０００８】
請求項２の発明によれば、受信した電子メールの本文にデータがない場合には本文の印刷処理を省略するように構成しているので、無駄な記録用紙の排出を防止することができる。
【発明を実施するための最良の形態】
【０００９】
以下、本発明の実施形態を図面に基づいて説明する。
本実施形態に係る通信端末装置１は、図１に示すように、制御部２、フラッシュメモリ３、ＲＡＭ（Random Access Memory、随時書き込み読み出しメモリ）４、画像メモリ５、コーデック（ＣＯＤＥＣ）６、モデム７、ＮＣＵ（Network Control Unit、回線網制御装置）８、ＬＡＮ（Local Area Network、構内ネットワーク）インターフェース（ＬＡＮ／ＩＦ）９、再生出力部１０、記録部１１、読取部１２、操作部１３、及び表示部１４等を備えたものであり、各部２〜１４はバス１５を介して互いに通信可能に接続されている。
【００１０】
制御部２は、ＣＰＵ（Central Processing Unit、中央処理装置）等で構成されており、フラッシュメモリ３上の制御プログラム等に従って各部３〜１４の動作を制御する。
【００１１】
ＲＡＭ４は、通信端末装置１に関する各種の情報〔例えば、ライフ情報（プリント枚数、読取枚数等）、機器設定情報（発信元名、発信元番号等）、インターネットファクス（電子メール）送信履歴情報、ファクス送信履歴情報、インターネットファクス受信履歴情報、ファクス受信履歴情報、コピー履歴情報、用紙サイズ情報、出力条件情報（原稿種類、濃度、倍率、部数等）〕を記憶する。
【００１２】
フラッシュメモリ３は、各部３〜１４の動作を制御するための制御プログラムの他、図２に示すように、音声パターンデータベース２１、音声データベース２２、及び音声データ２３等を記憶している。
【００１３】
音声パターンデータベース２１は、図３に示すように、音声パターンを、受信した電子メールの宛先としての電子メールアドレスに対応付けて記憶している。
【００１４】
音声データベース２２は、図４に示すように、音声データ２３のファイル名を音声パターンに対応付けて記憶している。音声データ２３のファイル形式としては、ＭＰ３〔MPEG（Moving Picture Experts Group）-1 Audio Layer-III）、ＷＭＡ〔Windows（登録商標） Media Audio〕、ＴｗｉｎＶＱ（Transform-Domain Weighted Interleave Vector Quantization）、ＷＡＶ、ＡＩＦＦ（Audio Interchange File Format）等が挙げられる。
【００１５】
コーデック６は、図１及び図２に示すように、フラッシュメモリ３上の音声データ２３を復号化する。再生出力部１０は、スピーカ等で構成されており、コーデック６により復号化された音声データ２３を再生出力する。
【００１６】
ＬＡＮインターフェース１０は、図１に示すように、ＬＡＮ３１に接続されている。このＬＡＮ３１は、インターネット３２に接続されている。これらＬＡＮ３１及びインターネット３２には、メールサーバ３３が接続されている。このメールサーバ３３には、図示しない複数のメールボックスが格納されている。
【００１７】
読取部１２は、原稿の画像を画像データとして読み取る。画像メモリ５は、読み取られた画像データを一時的に記憶する。記録部１１は、記憶された画像データ等を電子写真方式等により記録用紙に印刷する。このように、通信端末装置１は、原稿の画像を画像データとして読み取る読取手段、この読取手段により読み取られた画像データを記憶する画像データ記憶手段、及びこの画像データ記憶手段により記憶された画像データを記録用紙に印刷する記録手段を備えている。
【００１８】
表示部１４は、操作部１３等に併設されたＬＣＤ（Liquid Crystal Display、液晶ディスプレイ）等で構成されており、各種の情報を表示する。操作部１３は、選択キーや入力キー等、各種の操作をするための操作キー等を備えている。通信端末装置１に対するユーザによる各種の操作は、この操作部１３を通じて行われる。なお、表示部１４をタッチパネルとしておき、このタッチパネルとしての表示部１４が操作部１３としても機能するように構成してもよい。
【００１９】
コーデック６は、音声データ２３の復号化の他、読み取られた画像データを送信等のためにＭＨ（Modified Huffman）方式、ＭＲ（Modified READ）方式、ＭＭＲ（Modified Modified READ）方式等により符号化したり、受信した画像データを復号化したりする。なお、コーデック６は、通信端末装置１に接続した図示しない外部再生装置から入力された音声データを符号化する機能を有していてもよい。この場合、符号化された音声データは、フラッシュメモリ３に記憶されたファイル名又は操作部１３により入力されたファイル名などでフラッシュメモリ３に格納されるように構成しておけばよい。
【００２０】
モデム７は、例えばＩＴＵ−Ｔ（国際電気通信連合−電気通信標準化部門）の勧告Ｖ．３４規格又はこれと同様のものに従った送信データの変調及び受信データの復調を行う。ＮＣＵ８は、ＰＳＴＮ（Public Switched Telephone Network、公衆電話交換網）３４に接続されており、電話回線を制御して電話をかけたり切ったりする。
【００２１】
上記のように構成された通信端末装置１は、画像データが添付ファイルとして添付された電子メールの送信及び受信が可能でかつメールサーバ３３上の図示しない複数のメールボックスに対して新着の電子メールの確認を行う、いわゆるマルチアカウント機能を有するインターネットファクス通信機の他、ファクス通信機やコピー機などとしても機能する複合機である。なお、通信端末装置１は、インターネットファクス通信機、ファクス通信機、コピー機の他、ネットワークプリンタやネットワークスキャナ等としても機能する複合機等であってもよい。
【００２２】
次に、音声データ２３の再生出力処理の一例を図５及び図６に示すフローチャートに基づいて説明する。なお、この処理及び後述の処理は、フラッシュメモリ３上の制御プログラム等に基づいて制御部２が発行する命令に従って行われる。
【００２３】
この処理において、図１のようなメールサーバ３３上の図示しないメールボックスから電子メールを受信し（ステップＳ１でＹＥＳ）、かつ、受信した電子メールの本文にデータがある場合は（ステップＳ２でＹＥＳ）、そのデータが記録部１１により記録用紙に印刷される（ステップＳ３）。電子メールの本文上のデータとしては、テキストデータや画像データ等が挙げられる。
【００２４】
一方、電子メールを受信していない場合は（ステップＳ１でＮＯ）、ステップＳ１に戻る。なお、通信端末装置１は、メールサーバ３３上の図示しない複数のメールボックスに対し、フラッシュメモリ３に記憶された順序及び間隔で定期的に新着の電子メールを確認する確認手段を備えている。
【００２５】
そして、本文のデータの印刷が完了した場合は（ステップＳ４でＹＥＳ）、受信した電子メールの添付ファイルとしての画像データが記録部１１により記録用紙に印刷される（ステップＳ５）。電子メールの添付ファイルとしての画像データのファイル形式としては、ＴＩＦＦ（Tagged Image File Format）やＰＤＦ（Portable Document Format）等が挙げられる。
【００２６】
一方、本文のデータの印刷が完了していない場合は（ステップＳ４でＮＯ）、ステップＳ４に戻る。本文のデータの印刷に際しては、本文のデータと共に電子メールのヘッダ情報（送信者の電子メールアドレス、宛先としての受信者の電子メールアドレス、送信日時、件名など）を記録用紙に印刷するように構成してもよい。
【００２７】
また、受信した電子メールの本文にデータがない場合は（ステップＳ２でＮＯ）、ステップＳ５に進む。このように、受信した電子メールの本文にデータがない場合には本文の印刷処理を省略するように構成しておけば、無駄な記録用紙の排出を防止できるという利点がある。
【００２８】
次いで、添付ファイルとしての画像データの印刷が完了した場合は（ステップＳ６でＹＥＳ）、図３のような音声パターンデータベース２１が検索され、受信した電子メールの宛先としての電子メールアドレスに対応する音声パターンが抽出される（ステップＳ７）。一方、添付ファイルとしての画像データの印刷が完了していない場合は（ステップＳ６でＮＯ）、ステップＳ６に戻る。
【００２９】
そして、図４のような音声データベース２２が検索され、抽出された音声パターンに対応するファイル名が抽出される（ステップＳ８）。次いで、フラッシュメモリ３に記憶されかつ抽出されたファイル名と同じファイル名である音声データ２３が再生出力部１０から再生出力される（ステップＳ９）。
【００３０】
そして、電子メールを受信したメールボックスと同じメールボックス又は他のメールボックスから次の電子メールを受信している場合は（ステップＳ１０でＹＥＳ）、ステップＳ２に戻る。一方、次の電子メールを受信していない場合は（ステップＳ１０でＮＯ）、処理が終了する。
【００３１】
次に、音声パターンデータベース２１の更新処理の一例を図７に示すフローチャートに基づいて説明する。
この処理においては、図８に示すように、まず、電子メールアドレスが表示部１４に一覧表示されると共に、電子メールアドレスの選択を求めるメッセージ（例えば、「音声パターンを登録したい電子メールアドレスを選択して下さい」）が表示される（ステップＳ２１）。電子メールアドレスやその選択を求めるメッセージは、あらかじめフラッシュメモリ３に記憶されている。
【００３２】
そして、操作部１３により電子メールアドレス（例えば、「jkl@xxx.co.jp」）が選択された場合は（ステップＳ２２でＹＥＳ）、図９に示すように、音声パターンの入力を求めるメッセージ（例えば、「音声パターンを入力して下さい」）が表示される（ステップＳ２３）。音声パターンの入力を求めるメッセージは、あらかじめフラッシュメモリ３に記憶されている。なお、電子メールアドレスの選択は、電子メールアドレスと対応付けて表示部１４に表示される番号（例えば、「XX」）を操作部１３により入力することによっても行うことができる。一方、電子メールアドレスが選択されていない場合は（ステップＳ２２でＮＯ）、ステップＳ２２に戻る。
【００３３】
次いで、操作部１３により音声パターン（例えば、「２」）が入力された場合は（ステップＳ２４でＹＥＳ）、図１０に示すように、選択された電子メールアドレス及び入力された音声パターンが音声パターンデータベース２１に追加され（ステップＳ２５）、処理が終了する。一方、音声パターンが入力されていない場合は（ステップＳ２４でＮＯ）、ステップＳ２４に戻る。
【００３４】
上記のように構成された通信端末装置１によれば、受信した電子メールの宛先に応じた音声を出力できるので、誰宛の電子メールを受信したかを通信端末装置１から離れた位置でも把握できるという利点がある。
【００３５】
なお、通信端末装置１においては、図示しないカードリード・ライト部に着脱自在に装着された外部記憶媒体、ＬＡＮ３１上の図示しないパーソナルコンピュータ等の外部装置、インターネット３２上の図示しない外部装置、図示しないＵＳＢ（Universal Serial Bus）インターフェースに接続された外部装置等から、更新用の音声パターン、ファイル名、及び音声データ２３をフラッシュメモリ３上、音声パターンデータベース２１上、及び音声データベース２２上に転送できるように構成してもよい。また、ＬＡＮ３１上の外部装置、インターネット３２上の外部装置、ＵＳＢインターフェースに接続された外部装置等から、音声パターンデータベース２１、音声データベース２２、及び音声データ２３を参照、変更できるように構成してもよい。
【産業上の利用可能性】
【００３６】
以上のように、本発明に係る通信端末装置は、受信した電子メールの宛先に応じた音声を出力するのに適している。
【図面の簡単な説明】
【００３７】
【図１】実施形態に係る通信端末装置の構成例を示すブロック図。
【図２】フラッシュメモリの構成例を示すブロック図。
【図３】音声パターンデータベースの構成例を示すテーブル。
【図４】音声データベースの構成例を示すテーブル。
【図５】音声データの再生出力処理の一例を示すフローチャート。
【図６】音声データの再生出力処理の一例を示すフローチャート。
【図７】音声パターンデータベースの更新処理の一例を示すフローチャート。
【図８】表示部に電子メールアドレスを一覧表示すると共に、電子メールアドレスの選択を求めるメッセージを表示した画面例を示す説明図。
【図９】音声パターンの入力を求めるメッセージを表示した画面例を示す説明図。
【図１０】更新後の音声パターンデータベースの構成例を示すテーブル。
【符号の説明】
【００３８】
１  通信端末装置
２  制御部
３  フラッシュメモリ
４  ＲＡＭ
６  コーデック
９  ＬＡＮインターフェース
１０  再生出力部
１１  記録部
２１  音声パターンデータベース
２２  音声データベース
２３  音声データ
３１  ＬＡＮ
３２  インターネット
３３  メールサーバ
【図１】
2006268619.tif 000003
【図２】
2006268619.tif 000004
【図３】
2006268619.tif 000005
【図４】
2006268619.tif 000006
【図５】
2006268619.tif 000007
【図６】
2006268619.tif 000008
【図７】
2006268619.tif 000009
【図８】
2006268619.tif 000010
【図９】
2006268619.tif 000011
【図１０】
2006268619.tif 000012